(57)【要約】【課題】  パーティションへの取付けが容易に行なえる空気調節装置の取付け構造を提供する。【解決手段】  空気清浄機１００は、奥行き方向の外形寸法に比べて、高さ方向の外形寸法および幅方向の外形寸法が大きい扁平形状を有しており、パーティション２００は、その前面に空気調節装置１００の外形に対応した形状の第１開口部２１１と、この第１開口部２１１の後方に位置する収容部２３０とを有している。空気調節装置１００は、少なくともその後側の一部がパーティション２００の収容部２３０内に収容されるように、第１開口部２１１を介してにパーティション２００に前面側取付け具３１０および背面側取付け具３２０にて取付けられる。【選択図】        図７
2005076908.tif 000002
【特許請求の範囲】
【請求項１】
パーティションへの空気調節装置の取付け構造であって、
前記空気調節装置は、奥行き方向の外形寸法に比べて、高さ方向の外形寸法および幅方向の外形寸法が大きい扁平形状を有しており、
前記パーティションは、その前面に前記空気調節装置の外形に対応した形状の第１開口部と、前記第１開口部の後方に位置する収容部とを有し、
少なくとも前記空気調節装置の後側の一部が前記収容部内に収容されるように、前記空気調節装置が前記第１開口部を介してに前記パーティションに取付けられてなる、空気調節装置の取付け構造。
【請求項２】
前記パーティションに取付けられ、かつ前記空気調節装置を支持する取付け具をさらに備え、
前記パーティションは、前面パネルと、前記前面パネルに距離をもって面する背面パネルとを含み、
前記第１開口部は、前記前面パネルに設けられ、
前記背面パネルは、前記第１開口部に対応した位置に第２開口部を有し、
前記取付け具は、前記空気調節装置が取付けられるベース部と、前記ベース部から延在し、前記背面パネルの裏面側に後方から取付けられる係止部と、前記ベース部から前記第２開口部を通じて延在し、前記前面パネルの裏面に当接する当接部とを有している、請求項１に記載の空気調節装置の取付け構造。
【請求項３】
前記空気調節装置は、前面に吸込口および吹出口を有している、請求項１または２に記載の空気調節装置の取付け構造。
【請求項４】
前記空気調節装置は、前面に前記吸込口を有し、上面に第１連通口を有する装置本体と、前面に前記吹出口を有し、下面に第２連通口を有するダクト体とを備え、
前記ダクト体が、前記第１連通口と前記第２連通口とが連通するように、前記装置本体の上部に着脱自在に取付けられてなる、請求項３に記載の空気調節装置の取付け構造。
【請求項５】
前記吹出口は、当該吹出口の開口面と交差するように延在するルーバを含み、
前記吹出口から吹き出される空気が前記吹出口から見て前記吸込口側とは反対方向に遠ざかって進むように、前記ルーバが前記開口面に対して傾斜して設けられている、請求項３または４に記載の空気調節装置の取付け構造。
【請求項６】
前記空気調節装置は、その筐体の背面に前記パーティションへ前記筐体を取付けるためのねじ穴を有し、
前記筐体は、前記背面から前方に向かって突出し、前記ねじ穴の下方を取り囲むように設けられたねじ受け部を有している、請求項１から５のいずれかに記載の空気調節装置の取付け構造。
【請求項７】
第１開口部を有する前面パネルと、前記前面パネルと距離もって面し、前記第１開口部に対応した位置に第２開口部を有する背面パネルとを含むパーティションに、前記第１開口部を通じて空気調節装置を取付けるための取付け具であって、
前記空気調節装置が取付けられるベース部と、
前記ベース部から延在し、前記背面パネルの裏面側に取付けられる係止部と、
前記ベース部から前記第２開口部を通じて延在し、前記前面パネルの裏面に当接する当接部とを備えた、取付け具。
【請求項８】
空気調節装置の装置本体に着脱自在に取付けられるダクト体であって、
前記装置本体に設けられた処理後の空気を吹き出すための第１連通口に対向するように設けられた第２連通口と、前記第２連通口に連通する吹出口とを備え、
前記第２連通口の開口面を含む面と、前記吹出口の開口面を含む面とが交差するように構成された、ダクト体。
【発明の詳細な説明】
【技術分野】
【０００１】
本発明は、空気調節装置の取付け構造および取付け具ならびにダクト体に関し、より特定的には、オフィス等において設置されるパーティション（間仕切り）に取付けられる空気調節装置の取付け構造および取付け具ならびにダクト体に関する。
【背景技術】
【０００２】
室内の空気の温度や湿度、汚染度をコントロールする装置として空気調節装置が知られている。この空気調節装置においては、室内の空気を装置内部に取り込み、取り込まれた空気の物性を変化させて所望の状態の空気とした後、装置外部へと処理後の空気を吹き出す仕組みとなっている。特に、近年の住環境の変化に伴い、室内の空気の汚染度を改善する空気清浄機能を備えた空気調節装置（以下、空気清浄機と称する。）が注目を浴びている。
【０００３】
従来より、集塵機能や脱臭機能を備えた空気清浄機は広く普及している。しかし近年、これらの機能に加えて人体に有害な浮遊細菌を制菌または殺菌する機能を併せ備えた空気清浄機が急速に普及しつつある（たとえば、特開２００２−１０２３２７号公報（特許文献１）、特開２００３−１２０９５１号公報（特許文献２）参照）。ここで、「制菌」とは、繊維状のフィルタに付着した菌の増殖を抑制することをいう。また、「殺菌」とは、微生物を死滅させ、その絶対数を減少させることをいう。
【０００４】
浮遊細菌を制菌または殺菌する機能を併せ備えた空気清浄機にあっては、集塵機能、脱臭機能および制菌機能は、筐体内部に配置された各種フィルタによって発揮される。また、殺菌機能は、正イオンと負イオンとを発生させるイオン発生装置を筐体内部の通風路内に設置することによって発揮される。なお、このイオン発生装置を用いて空気中の負イオン濃度を増加させた場合には、リラクゼーション効果を得ることも可能である。
【０００５】
空気清浄機は、設置方法の観点から、据置き式のものと壁掛け式のものとに大別される。据置き式の空気清浄機は、室内の床面に設置する方式のものであり、必要に応じて簡単に設置位置を変更できる点において優れているものの、人の往き来の邪魔になるという問題を有している。また、壁掛け式の空気清浄機は、室内の壁面に設置する方式のものであり、据置き式に比べ人の往き来の邪魔にならない点では優れているものの、壁面への設置が煩わしく、また簡単には設置位置を変更できないという問題を有している。
【０００６】
オフィスに空気清浄機を設置する場合、オフィス内は人の往き来が非常に多いため、据置き式の空気清浄機は適さない。また、壁掛け式の空気清浄機は、上述の通り設置作業が煩わしく、頻繁にレイアウトが変更されるオフィスにおいては適さない。さらに、近年の分煙化により、オフィスの一角に喫煙コーナーが設けられる場合が多くなったが、このような喫煙コーナーはパーティションによって構成される場合が多く、頑丈な壁が喫煙コーナーに面しないことも多い。このため、パーティションに空気清浄機を設置した場合に、設置安定性が十分に確保されないという問題が生じていた。
【０００７】
そこで、パーティションに一体的に空気清浄機を設置した空気清浄機一体型パーティションが考案されている（たとえば、特開２００１−３２４１７号公報（特許文献３）参照）。この種の空気清浄機一体型パーティションは、パーティション内部に空気清浄機を完全に埋め込んだものである。このため、パーティションの表面には、汚れた空気を吸い込むための吸込口と、清浄化された空気を吹出すための吹出口のみが設けられる。
【０００８】
しかしながら、一般的に空気清浄機は出力に応じてその装置外形が大型化する傾向にあり、パーティション内に完全に埋め込むためには必然的にパーティションの厚みを大きくする必要がある。これでは、通常のパーティションの規格に適合しなくなり、オフィスでの普及は図れないものとなってしまう。
【０００９】
また、上記構成の空気清浄機一体型パーティションにおいては、既にオフィスに設置されているパーティションへの取付けは行なえず、パーティションごと新たに取り換える必要があった。
【００１０】
このように、上述の空気清浄機一体型パーティションでは、種々の問題があり、十分に普及しているとは言えなかった。
【特許文献１】特開２００２−１０２３２７号公報
【特許文献２】特開２００３−１２０９５１号公報
【特許文献３】特開２００１−３２４１７号公報
【発明の開示】
【発明が解決しようとする課題】
【００１１】
本発明が解決しようとする課題は、既存のパーティションに空気調節装置を取付けることができなかった点にある。したがって、本発明は、パーティションへの取付けが容易に行なえる空気調節装置の取付け構造およびこれに用いられる取付け具ならびにダクト体を提供することを目的とし、さらには、既存のパーティションへの取付けが可能な空気調節装置の取付け構造および取付け具ならびにダクト体を提供することを目的とする。
【課題を解決するための手段】
【００１２】
本発明に基づく空気調節装置の取付け構造は、パーティションに対して空気調節装置を取付ける取付け構造である。空気調節装置は、奥行き方向の外形寸法に比べて、高さ方向の外形寸法および幅方向の外形寸法が大きい扁平形状を有している。パーティションは、その前面に上記空気調節装置の外形に対応した形状の第１開口部と、この第１開口部の後方に位置する収容部とを有している。上記空気調節装置は、少なくともその後側の一部が上記パーティションの収容部内に収容されるように、上記第１開口部を介してにパーティションに取付けられている。
【００１３】
上記本発明に基づく空気調節装置の取付け構造にあっては、上記パーティションに取付けられ、かつ上記空気調節装置を支持する取付け具をさらに備えていることが好ましい。この場合、上記パーティションは、前面パネルと、この前面パネルに距離をもって面する背面パネルとを含み、上記第１開口部は、上記前面パネルに設けられ、上記背面パネルは、上記第１開口部に対応した位置に第２開口部を有していることが好ましい。そして、上記取付け具は、上記空気調節装置が取付けられるベース部と、このベース部から延在し、上記背面パネルの裏面側に後方から取付けられる係止部と、上記ベース部から上記第２開口部を通じて延在し、上記前面パネルの裏面に当接する当接部とを有していることが好ましい。
【００１４】
上記本発明に基づく空気調節装置の取付け構造にあっては、上記空気調節装置は、その前面に吸込口および吹出口を有していることが好ましい。
【００１５】
上記本発明に基づく空気調節装置の取付け構造にあっては、上記空気調節装置が、前面に上記吸込口を、上面に第１連通口をそれぞれ有する装置本体と、前面に上記吹出口を、下面に第２連通口をそれぞれ有するダクト体とによって構成されていることが好ましい。そして、上記ダクト体が、第１連通口と第２連通口とが連通するように、上記装置本体の上部に着脱自在に取付けられることが好ましい。
【００１６】
上記本発明に基づく空気調節装置の取付け構造にあっては、上記吹出口が、吹出口の開口面と交差するように延在するルーバを含んでいることが好ましい。そして、上記吹出口から吹き出される空気が、上記吹出口から見て上記吸込口側とは反対方向に遠ざかって進むように、上記ルーバが開口面に対して傾斜して設けられていることが好ましい。
【００１７】
上記本発明に基づく空気調節装置の取付け構造にあっては、空気調節装置は、その筐体の背面に上記パーティションへ筐体を取付けるためのねじ穴を有していることが好ましく、この場合、筐体は、背面から前方に向かって突出し、ねじ穴の下方を取り囲むように設けられたねじ受け部を有していることが好ましい。
【００１８】
本発明に基づく取付け具は、第１開口部を有する前面パネルと、この前面パネルと距離もって面し、上記第１開口部に対応した位置に第２開口部を有する背面パネルとを含むパーティションに、上記第１開口部を通じて空気調節装置を取付けるための取付け具であって、上記空気調節装置が取付けられるベース部と、このベース部から延在し、上記背面パネルの裏面側に取付けられる係止部と、上記ベース部から上記第２開口部を通じて延在し、上記前面パネルの裏面に当接する当接部とを備えている。
【００１９】
本発明に基づくダクト体は、空気調節装置の装置本体に着脱自在に取付けられるダクト体であって、空気調節装置の装置本体に設けられた処理後の空気を吹き出すための第１連通口に対向するように設けられた第２連通口と、この第２連通口に連通する吹出口とを備えており、上記第２連通口の開口面を含む面と、上記吹出口の開口面を含む面とが交差するように構成されている。
【発明の効果】
【００２０】
本発明に基づく空気調節装置の取付け構造を採用することにより、パーティションへの取付けが容易に行なえるようになり、オフィス内に既に設置されているパーティションに対しても容易に空気調節装置を取付けることが可能になる。
【００２１】
また、本発明に基づく取付け具を用いることにより、空気調節装置をパーティションに容易に取付けることができるようになる。
【００２２】
また、本発明に基づくダクト体を用いることにより、空気調節装置をパーティションに取付けて設置する場合に処理後の空気の吹き出し方向を自由にこのダクト体にて変更することが可能になるため、パーティション内に通風路を別途設ける必要がなくなり、既成のパーティションへの空気調節装置の取付けが容易に実現する。
【発明を実施するための最良の形態】
【００２３】
以下、本発明の一実施の形態について、図を参照して説明する。なお、以下に示す実施の形態においては、空気調節装置として、空気清浄機能のみを有する空気清浄機を例示して説明を行なう。
【００２４】
（空気清浄機の取付け構造）
図１は、本発明の一実施の形態における空気清浄機の取付け構造を示す斜視図である。また、図２は、図１中のＩＩ−ＩＩ線に沿った概略縦断面図である。これらの図を参照して、本実施の形態における空気清浄機のパーティションへの取付け構造について説明する。
【００２５】
図１および図２に示すように、空気清浄機１００は、オフィス等に設置されるパーティション２００に、その一部が埋め込まれた状態で取付け具３１０，３２０によって取付けられる。
【００２６】
パーティション２００は、前面パネル２１０と、この前面パネル２１０に距離もって面する背面パネル２２０とを有している。前面パネル２１０の所定位置には、後述する空気清浄機１００の外形に対応した形状の第１開口部２１１が設けられている。また、背面パネル２２０には、第１開口部２１１に対応した位置に第２開口部２２１が設けられている。そして、この第１開口部２１１と第２開口部２２１との間に収容部２３０が形成されている。
【００２７】
空気清浄機１００は、装置本体１１０と、装置本体１１０の前面１１１に着脱自在に取付けられる前面パネル１３０と、装置本体１１０の上面１１２に着脱自在に取付けられるダクト体１６０とから構成されている。空気清浄機１００は、前面パネル１３０およびダクト体１６０が装置本体１１０に取付けられた状態において、奥行き方向の外径寸法に比べて、高さ方向の外径寸法および幅方向の外径寸法が大きい扁平形状を有している。
【００２８】
空気清浄機１００の後側の一部は、パーティション２００の収容部２３０内に収容されている。そして、空気清浄機１００の前側の一部は、パーティション２００の前方に露出している。空気清浄機１００の露出部位には、空気を装置内部に取り込むための吸込口１２１、処理後の空気を室内に吹き出すための吹出口１２５、空気清浄機１００の動作を切換えるための操作部１８１、および空気清浄機１００の動作状態等を表示するための表示部１８２が設けられている。
【００２９】
図２に示すように、空気清浄機１００をパーティション２００に固定するための取付け具は、前面側取付け具３１０と背面側取付け具３２０とによって構成されている。前面側取付け具３１０は、パーティション２００の前面パネル２１０に設けられた第１開口部２１１を囲むように、前面パネル２１０に前方から取付けられる。これに対し、背面側取付け具３２０は、パーティション２００の背面パネル２２０に設けられた第２開口部２２１を閉塞するように、背面パネル２２０に後方から取付けられる。
【００３０】
背面側取付け具３２０は、ベース部３２１と、係止部３２２、当接部３２３とを有している。ベース部３２１は、空気清浄機１００の装置本体１１０がねじによって固定される部位であり、背面パネル２２０の第２開口部２２１を閉塞する部位でもある。
【００３１】
係止部３２２は、ベース部３２１から上方、下方、右側方および左側方の四方に向かって延びるように形成された部位であり、背面パネル２２０の裏面２２２に接触している。そして、この接触部位においてねじ等により背面パネル２２０に取付けられることにより、背面側取付け具３２０がパーティション２００に取付けられる。
【００３２】
当接部３２３は、ベース部３２１から前方に向かって延びるように形成された部位であり、ベース部３２１の上下に２箇所設けられている。この当接部３２３は、その先端部分が折り曲げられることによって前面パネル２１０の裏面２１２に当接しており、背面側取付け具３２０のパーティションへの固定をより安定的なものとしている。なお、下方に設けられた当接部３２３は、空気清浄機１００が取付けられた状態において空気清浄機１００の装置本体１１０の下面に接触し、空気清浄機１００を下方から支持する部位でもある。
【００３３】
（空気清浄機の内部構造）
次に、図２を参照して、上述の空気清浄機の内部構造について説明する。図２に示すように、装置本体１１０の内部には、仕切り板１１５が位置している。装置本体１１０の内部空間は、この仕切り板１１５によって前方空間と後方空間とに分割されている。仕切り板１１５には、前方空間と後方空間とを連通する連通孔１２２が設けられている。なお、仕切り板１１５は、装置内部に取り込まれた空気の流路である通風路を形成するために、装置本体１１０内に設けられる板状部材である。
【００３４】
吸込口１２１の後方でかつ仕切り板１１５の前方に位置する前方空間には、各種のフィルタが積層保持されたフィルタ組品１４０が配置されている。仕切り板１１５の後方でかつ装置本体１１０の背面１１３の前方に位置する後方空間には、送風ファン１５１と、この送風ファン１５１を駆動する駆動源としてのモータ１５２が配置されている。送風ファン１５１は、モータ１５２の回転軸にねじ等によって固定されている。モータ１５２はアングル等によって装置本体１１０の背面１１３に固定されている。なお、上述の連通孔１２２は、仕切り板１１５の送風ファン１５１の吸込面と対向する部分に位置している。
【００３５】
装置本体１１０の上面１１２でかつ後方空間の上部に対応する位置には、第１連通口１２３ａが位置しており、この第１連通口１２３ａには、後方空間から送風される空気の風向きを整えるルーバ１２４が設けられている。なお、図２においては図示を省略しているが、装置本体１１０の後方空間内には、正イオンまたは負イオンの少なくともいずれか一方を後方空間内を通過する空気に対して放出するイオン発生装置が配置されている。
【００３６】
なお、イオン発生装置においては、イオン発生素子に設けられた電極間に交流電圧を印加することにより、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）を主体としたイオンを生成する。本空気清浄機においては、これらを送風ファンにより空間に放出させる。
【００３７】
これらＨ+（Ｈ2Ｏ）m及びＯ2-（Ｈ2Ｏ）nは、浮遊菌の表面に付着し、下記式（１）〜式（３）に示すように化学反応して、活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中のカビや微生物等の浮遊菌を取り囲んで殺菌することができる。
【００３８】
【化１】
2005076908.tif 000003
【００３９】
これにより、活性種の分解作用によって浮遊菌が破壊される。従って、効率的に空気中の浮遊菌を殺菌することができる。本空気清浄機においては、以上のメカニズムにより、浮遊菌等の殺菌効果を得ることができる。
【００４０】
また、上記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００４１】
その他、正イオンと負イオンには、コクサッキーウィルス、ポリオウィルス、などのウィルス類も不活化する働きがあり、これらウィルスの混入による汚染が防止できる。また、正イオンと負イオンには、臭いのもととなる分子を分解する働きがあることも確かめられており、空間の脱臭にも利用できる。
【００４２】
装置本体１１０の上面１１２に位置する第１連通口１２３ａは、装置本体１１０の上面１１２に取付けられたダクト体１６０の下面に設けられた第２連通口１２３ｂと連通している。ダクト体１６０の前面には、吹出口１２５が設けられている。第２連通口１２３ｂと吹出口１２５とは連通しており、第２連通口１２３ｂの開口面を含む面と吹出口１２５の開口面を含む面とが交差するように、ダクト体１６０が構成されている。吹出口１２５には、ダクト体１６０から送風される空気の風向きを整えるルーバ１２６が設けられている。
【００４３】
（フィルタの構成）
図３は、図１に示す空気清浄機のフィルタの構成を示す模式図である。図３に示すように、各種フィルタは、前後方向に積層して配置された状態でフィルタ保持枠１４４によって保持され、空気清浄機１００の前方空間に吸込口１２１を介して配置される。本実施の形態における空気清浄機１００にあっては、上記各種フィルタは、上流から順に、プレフィルタ１４１、脱臭フィルタ１４２、集塵フィルタ１４３の順で配置されている。
【００４４】
ここで、プレフィルタ１４１は、ステンレスや合成繊維等の細線を平織りすることによって形成されたフィルタであり、綿埃などの比較的大きい埃を捕獲する。脱臭フィルタ１４２は、活性炭などの脱臭機能を有する物質が内包されたフィルタであり、臭気成分を吸着することにより脱臭機能を発揮する。集塵フィルタ１４３には、たとえばＨＥＰＡ（High Efficiency Particulate Air）フィルタが用いられ、空気中に含まれる細かい粒径の微粒子を捕獲する。なお、この集塵フィルタには、制菌機能を付加することも可能であり、このように構成した場合には、集塵フィルタ１４３に付着した細菌の繁殖を抑えることが可能である。
【００４５】
（空気清浄機の動作）
次に、図２を参照して、上記構成の空気清浄機の動作について説明する。上記構成の空気清浄機１００にあっては、送風ファン１５１がモータ１５２によって回転駆動されることにより、装置本体１１０と前面パネル１３０との間の隙間から吸込口１２１を介して装置本体１１０内部の前方空間に空気が取り込まれる。取り込まれた空気は、フィルタ組品１４０を通過する際に塵や埃、臭い等が除去され、仕切り板１１５に設けられた連通孔１２２を介して後方空間内へと導入される。
【００４６】
後方空間内に流入した空気には、イオン発生装置によって所定濃度の正イオンおよび負イオンが付加され、送風ファン１５１によって第１連通口１２３ａに向けて送出される。第１連通口１２３ａおよび第２連通口１２３ｂを介してダクト体１６０内に流入した空気は、吹出口１２５より室内へと吹出される。これにより、室内の空気の清浄化が行なわれる。なお、図２においては、空気の流れを矢印にて示している。
【００４７】
（空気清浄機の設置）
図４は、本実施の形態における空気清浄機を室内の壁面に設置した場合を示す模式図であり、図５は、室内の床面に設置した場合を示す模式図である。
【００４８】
図４および図５に示すように、本実施の形態における空気清浄機１００は、上述のパーティションに取付けられる「埋め込み式」の空気清浄機として用いられるほか、室内の壁面４００に取付けられる「壁掛け式」の空気清浄機や、床面５００上や卓上に設置される「据置き式」の空気清浄機としても用いられるものである。したがって、ユーザの用途や室内の設置スペース等にあわせて適宜設置場所を変更することが可能である。
【００４９】
たとえば、「壁掛け式」の空気清浄機として用いる場合には、図４に示すように、装置本体１１０にダクト体１６０を非装着とした状態で、壁面４００に予め取付けたアングル等に空気清浄機１００を引っ掛けることにより、壁面４００に空気清浄機１００を設置することが可能になる。また、「据置き式」の空気清浄機として用いる場合には、図５に示すように、装置本体１１０にダクト体１６０を非装着とした状態で、装置本体１１０の下方にスタンド１９３を取付けることにより、床面５００上や卓上に空気清浄機１００を設置することが可能になる。
【００５０】
（空気清浄機のパーティションへの組付け）
図６は、空気清浄機にダクト体を取付ける際の組付け図である。また、図７は、ダクト体が取付けられた空気清浄機をパーティションに組付ける際の組付け図である。以下、これらの図を参照して、空気清浄機をパーティションへ組付ける手順について説明する。
【００５１】
まず、図６に示すように、空気清浄機１００の装置本体１１０の上面１１２に、ダクト体１６０を上方から取付ける。この際、装置本体１１０の上面１１２に設けられた第１連通口１２３ａが、ダクト体１６０の下面に設けられた第２連通口１２３ｂに面するように、ダクト体１６０を位置決めして固定する。
【００５２】
次に、図７に示すように、予め前面側取付け具３１０および背面側取付け具３２０が取付けられたパーティション２００の収容部２３０に、ダクト体１６０が取付けられた空気清浄機１００を前方から嵌め込む。このとき、パーティション２００の前面に設けられた第１開口部２１１を通じて空気清浄機１００を収容部２３０内に嵌め込む。そして、背面側取付け具３２０に設けられたフック３２７を装置本体１１０の裏面１１３に設けられた切欠き部（図示せず）に差し込み、さらに背面側取付け具３２０に設けられたねじ止め部３２６と、装置本体１１０の筐体の背面１１３に設けられたねじ穴との位置決めを行ない、ねじ１９６を用いて装置本体１１０を背面側取付け具３２０に固定する。
【００５３】
この後、フィルタ組品１４０、前面パネル１３０を装置本体１１０に取付けることにより、空気清浄機１００のパーティション２００への組付け作業が終了する。
【００５４】
（作用・効果）
以上において説明した空気清浄機のパーティションへの取付け構造および取付け具ならびにダクト体を用いて空気清浄機をパーティションに取付けることにより、取付け作業が容易に行なえるようになる。具体的には、パーティション２００に第１開口部２１１および第２開口部２２１を設け、第１開口部２１１に前面側取付け具３１０を、第２開口部２２１に背面側取付け具３２０をそれぞれ固定し、空気清浄機１００を第１開口部２１１を通じて背面側取付け具３２０にねじ１９６を用いて取付けるのみの作業で、パーティション２００への空気清浄機１００の取付けが完了する。この取付け構造および取付け具ならびにダクト体を採用した場合には、オフィス内に既に設置されている既存のパーティションに対しても空気清浄機を簡単に取付けることができる。
【００５５】
（ねじ受け部）
図８（ａ）は、上記空気清浄機の装置本体の背面に設けられたねじ穴近傍の部分斜視図である。また、図８（ｂ）は、装置本体に仕切り板を取付けた状態におけるねじ穴近傍の部分斜視図である。
【００５６】
図８（ａ）に示すように、空気清浄機１００の装置本体１１０の筐体は、その背面１１３にパーティション２００へ筐体を取付けるためのねじ穴１９１を有している。筐体の背面１１３のねじ穴１９１の下方には、ねじ穴１９１を取り囲むようにねじ受け部１８５が突出して設けられている。このねじ受け部１８５は、左側壁１８６、右側壁１８７およびこれらに連続して設けられる底壁１８８によって構成されており、筐体の背面から前方に向かって突出して形成されている。なお、図８（ｂ）に示すように、ねじ受け部１８５は、その前面に取り付けられる仕切り板１１５近傍にまで延びている。仕切り板１１５のねじ受け部１８５に対応した位置には、ねじ取付け用窓１１５ａが設けられている。
【００５７】
図８（ｂ）に示すように、ねじ１９６はドライバー６００によって取付けられるが、ねじ穴１９１が筐体の背面１１３に設けられているため、装置本体１１０の奥まったところにまでドライバー６００を差し込む必要があり、ねじ止め前にねじ１９６が落下することがある。上記ねじ受け部１８５が形成さていない場合には、落下したねじ１９６は、装置本体１１０の下部にまで落下することになる。本空気清浄機１００の如く、予め仕切り板１１５が装置本体１１０に取付けられている場合には、装置本体１１０内部に落下したねじ１９６を取り出すことは、装置本体１００を分解しない限り不可能である。また、たとえ仕切り板１１５が予め取付けられていなかったとしても、ねじ１９６が装置本体１１０内部に配設された内部構成部品のかげに隠れたり、指が差し込めないほどの小さな隙間に落下したりすることがあり、ねじ１９６を探し出して取り出すまでに相当の時間を要することになる。
【００５８】
しかしながら、上述の空気清浄機１００にあっては、ねじ受け部１８５がねじ穴１９１の下方に形成されているため、落下したねじ１９６がこのねじ受け部１８５によって受け止められるため、上述のような問題が生じることがなくなる。この結果、ねじ止め作業の利便性が飛躍的に向上するようになる。
【００５９】
（吹出口のルーバ角度）
図９は、上記空気清浄機の吹出口近傍の拡大断面図である。図９に示すように、ダクト体１６０の前面に設けられた吹出口１２５には、吹出口１２５の開口面と交差するように延在するルーバ１２６が設けられており、このルーバ１２６によって風向が整えられている。ルーバ１２６は、吹出口１２５から吹き出される空気が、吹出口１２５から見て下方に位置する吸込口１２１とは反対方向に遠ざかって進むように、吹出口１２５の開口面に対して傾斜して設けられている。これにより、吹出口１２５から吹き出した空気は、斜め上方（図中、矢印Ｂ方向）に向かって進むようになる。
【００６０】
上記空気清浄機１００にあっては、吸込口１２１と吹出口１２５とがともに装置本体１１０の前面１１１に位置している。このため、吸込口１２１と吹出口１２５が近接して配置された場合には、吹出口１２５から吹出された空気の一部が吸込口１２１に回り込み、ショートサーキットが形成されるおそれがある。このショートサーキットが形成された場合には、室内の空気循環が悪化する影響がでる。そこで、上述の空気清浄機１００においては、吹出口１２５にもうけられるルーバ１２６をやや上方に傾けることにより、ショートサーキットが形成されることを防止している。これにより、吸込口１２１から吸い込まれる空気の流れ（図中、矢印Ａ）と、吹出口１２５から吹出される空気の流れ（図中、矢印Ｂ）とが確実に分離されるようになり、室内の空気循環の悪化が防止されるようになる。
【００６１】
なお、上述の実施の形態においては、空気調節装置として空気清浄機を例示して説明を行なったが、本発明は空気清浄機に限定されるものではない。本発明において空気調節装置とは、装置外部から空気を装置内部へと導入し、導入した空気を清浄化する処理を施した上で装置外部へと送出する装置全般を指すものである。たとえば、上述の空気清浄機以外にも、空気調和機、除湿機、加湿器等を含むものである。
【００６２】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００６３】
【図１】本発明の一実施の形態における空気清浄機の取付け構造を示す斜視図である。
【図２】図１中のＩＩ−ＩＩ線に沿った概略縦断面図である。
【図３】図１に示す空気清浄機のフィルタの構成を示す模式図である。
【図４】図１に示す空気清浄機を室内の壁面に壁掛け式の空気清浄機として設置した状態を示す模式図である。
【図５】図１に示す空気清浄機を室内の床面に据置き式の空気清浄機として設置した状態を示す模式図である。
【図６】本発明の一実施の形態において、空気清浄機にダクト体を取付ける際の組付け図である。
【図７】本発明の一実施の形態において、ダクト体が取付けられた空気清浄機をパーティションに組付ける際の組付け図である。
【図８】（ａ）は、図１に示す空気清浄機の装置本体の背面に設けられたねじ穴近傍の部分斜視図であり、（ｂ）は、装置本体に仕切り板を取付けた状態におけるねじ穴近傍の部分斜視図である。
【図９】図１に示す空気清浄機の吹出口近傍の拡大断面図である。
【符号の説明】
【００６４】
１００  空気清浄機、１１０  装置本体、１１１  前面、１１２  上面、１１３  背面、１１５  仕切り板、１１５ａ  ねじ取付け用窓、１２１  吸込口、１２２  連通孔、１２３ａ  第１連通口、１２３ｂ  第２連通口、１２４，１２６  ルーバ、１２５  吹出口、１３０  前面パネル、１４０  フィルタ組品、１４１  プレフィルタ、１４２  脱臭フィルタ、１４３  集塵フィルタ、１４４  フィルタ保持枠、１５１  送風ファン、１５２  モータ、１６０  ダクト体、１８１  操作部、１８２  表示部、１８５  ねじ受け部、１８６  左側壁、１８７  右側壁、１８８  底壁、１９１  ねじ穴、１９３  スタンド、２００  パーティション、２１０  前面パネル、２１１  第１開口部、２１２  裏面、２２０  背面パネル、２２１  第２開口部、２２２  裏面、２３０  収容部、３１０  前面側取付け具、３２０  背面側取付け具、３２１  ベース部、３２２  係止部、３２３  当接部、３２６  ねじ止め部、３２７  フック、４００  壁面、５００  床面、６００  ドライバー。
【図１】
2005076908.tif 000004
【図２】
2005076908.tif 000005
【図３】
2005076908.tif 000006
【図４】
2005076908.tif 000007
【図５】
2005076908.tif 000008
【図６】
2005076908.tif 000009
【図７】
2005076908.tif 000010
【図８】
2005076908.tif 000011
【図９】
2005076908.tif 000012